(57)【要約】      （修正有）【課題】外装や内装を破壊せず建物全体の耐震性能の向上を可能にする耐震補強工法の提供。【解決手段】木造建築の通し柱周りの主要接合部を柔構造に強化させて、少ない箇所で補強し、新設・既設を問わず耐震性能にバラツキが少なく、耐震補強以外の費用を抑制し、建物の使用に支障無く工事ができる、施工後の改修・間取り替えにも制約が少なく、耐震性能が持続できるように建物の当該部位に機能説明を表示することを一連にした耐震補強技術である。【選択図】なし【特許請求の範囲】
【請求項１】
木造建築の耐震補強において、その建築の主要な柱と梁端接合部を補強部材で一体的に結合し、柔軟な剛性構造に強化して、それぞれの補強箇所間を床・小屋面の架構部材に沿って、形鋼・ロープ状・テープ状の引張部材で結合し、また、対角線上の補強箇所間も同様に結合強化し、建物全体の周辺架構部とも引張り部材で連結強化して、補強箇所以外の保有耐震性能構造部と融合一体的に、建築物の複合的な耐震性能を向上させる補強工法「図１」。
【請求項２】
請求項１の、柱と梁の接合部の補強部材であり、柱に取り付く各々、二方・三方・四方からの梁接合部の分解と構造部材の破断並びに仕口の破損を防ぐために、９０度で隣接する梁相互に渡る三角板状部材を、梁端の上・下面に装着「図２」させ、木部材を柔軟に拘束させる。新築用には柱の貫通部分に柱形状の筒状部を具備させ、既存建物には柱形状の欠き取部と柱面に沿う筒状部の一面が開放された筒状部により、柱を拘束させ、その材質は合板・金属板・ＦＲＰ板・強化プラスチック・炭素繊維板などを使い、梁と補強部材は釘・木ねじ・ボルト締め・帯締め・接着により結合させる。
【請求項３】
請求項１の、柱と梁の接合部における隣接する２本の梁の側面間を結合させるために、Ｌ型に折り曲げた板状部材により梁を挟んで結合するために装着「図３」させるもので、一辺が縦２０〜３０ｃｍ・横４５〜６０ｃｍの摩擦面を活かせるサイズとし、応力の伝達と梁部材の保護・強化を一体的に機能させる。その材質並びに取り付け方法は請求項２に準じる。
【請求項４】
請求項２の、梁の上・下面に装着させる板状部材を梁毎に分解小型化し、柱を挟んで相対する梁端を連結させるボルト取付け部を柱面に沿うように９０度折り曲げた部位を設けた補強部材「図４」により、ボルト締めには皿バネを利用して梁と柱の接合部に伸縮性のある柔接合として、木材の痩せによるガタを解消させる補強部材。
【請求項５】
請求項２の２方・３方並びに、請求項３の補強部材を一体化させ、梁端を拘束・保護・強化して複合的で柔軟なな応力の伝達に役立てる接合部を創出する補強部材「図６」。
【請求項６】
請求項２．３・４・５の、それぞれの補強部材と梁の表面との間に粘弾性材を装着させ、伸縮性のボルト締めにより、接合部の梁と補強部材のズレを利用して地震力を減衰・伝達させる柔接合部材。
【請求項７】
請求項３、の部材を４５度の火打ち部材で連結一体化させ複合的な接合機能を向上させる補強部材。
【請求項８】
柱と梁の接合部の変形角を抑制するために、柱と梁を結ぶ方杖を弓状の板・棒またはパイプ「図５」により、方杖の引き伸ばしと湾曲の変形抵抗力を利用する柱・梁の接合補強部材。
【請求項９】
建築物に使用された耐震システム並びに補強システムの概要説明書を当該建築物の工法採用部にシールまたは別添固定して、後々まで耐震構造性能を伝達する仕組みの耐震技術表示方法。
【発明の詳細な説明】
【発明の詳細な説明】
【産業上の利用分野】
当件発明は、木造建築の耐震強化に大型ビルの科学的工法と木構造の柔軟な特徴を融合させる応用であり、主要箇所を強化し、周辺架構が保有する水平抵抗力と一体的に耐震性を作用させ、補強以外に改修費が嵩張らない部位で、単純明快に一般市民に理解され納得・普及させることにより、既存並びに新築建物の新たな耐震性能を構築して、建築産業の安全・信頼が高まり活性化に役立てる。
【背景技術】従来の木造補強工法は、伝統的な仕口を活かせつつ、無数の釘・ボルト・金物によるのが主流であり、その補強性能が建物主に解りにくく、建物の形・柱梁土台などの材質・施工の条件で耐震性能に大きなバラツキが生じる性格があり、既存建物の補強には室内空間の美感と愛着が破壊され、望まない構造以外の修復に多くの費用が生じ、工事中の生活にも支障が生じ、その後の間取り替えにも様々な制約が多く起きている。
【発明が解決しようとする課題】
外装・内装の特徴や美感愛着を破壊せず、補強以外に多くの費用が伴わず、施工後の改修間取り替えに制限が少なく、日常生活に支障が少なく、建物全体の耐震性能の向上が明確でバラツキが少なく、その後の改修にも耐震装置が削減されず、建築主が解り易く、安心で、耐震補強に理解が広まり、積極性が生まれる耐震補強工法にする事である。
【課題を解決するための手段】
補強箇所を主要な通し柱周辺の梁接合部を、科学的機能を使い柔軟な剛性を高めるに接合部に強化し、木造本来の構造特性を活かせながら融合させ、建物全体の耐震性が総合的に機能する構法により、建物の内外仕上げの損傷を少なくできる部位である、天井裏・小屋裏・２階床の一部から工事が可能な様に、梁の上面・側面・下面（上・側面から施工できる）範囲の施工法を採用し、補強工事以外の費用を抑制し、補強箇所間を連結して部材と仕口の破断と構造の分解を防ぎ、耐震システム説明書を補強部位に表示することを一連にした点にある。
また、当該耐震装置を効果的に作用させるために、新築に装着する部位の柱には１２ｃｍ角の桧材を使い伝統的な仕口の柱の欠き込み部を少なく改良し、梁成も大きめに決め、その通し柱間はベタ基礎で強固に固め桧材の土台で連結させ、柱・梁の上部構造の補強が活きる構造にしておくと震災後の修復にも効果が出せる。
【作用】
補強工法が大型ビルに採用される技術の応用で解りやすく、補強箇所が少なく大きめで耐震機能が目に見えることで、建築主に補強部材の作用と効果がイメージでき、生活を続けながら、内装の破壊も少なく、耐震補強ができる。
【効果】
生活を続けながら、安い費用で、安全と安心が得られ、人身・財産の保全が達成でき、耐震補強が普及する効果がある。
〔図１〕木造建築の主要な通し柱と梁の補強箇所を示す平面・断面図
〔図２〕梁の上・下面に取り付ける板状補強部材
〔図３〕梁の側面に取付け梁を挟んで応力を伝える補強部材
〔図４〕小型化した部材で柱を貫通して梁を締め付ける補強構成
〔図５〕図２と図３を結合させた一体型の補強部材
〔図６〕梁と柱の接合変形角を抑制させる弓状の棒・パイプ補強部材
【図１】
2006083676.tif 000002
【図２】
2006083676.tif 000003
【図３】
2006083676.tif 000004
【図４】
2006083676.tif 000005
【図５】
2006083676.tif 000006
【図６】
2006083676.tif 000007
【図７】
2006083676.tif 000008
【図８】
2006083676.tif 000009
【図９】
2006083676.tif 000010
【図１０】
2006083676.tif 000011
【図１１】
2006083676.tif 000012
【図１２】
2006083676.tif 000013
【手続補正書】
【提出日】平成16年11月16日(2004.11.16)
【手続補正２】
【補正対象書類名】明細書
【補正対象項目名】全文
【補正方法】変更
【補正の内容】
【発明の詳細な説明】
【産業上の利用分野】
【０００１】当件発明は、木造建築の耐震強化に大型ビルの科学的工法と木構造の柔軟な特徴を融合させる応用であり、主要箇所を強化し、周辺架構が保有する水平抵抗力と一体的に耐震性を作用させ、補強以外に改修費が嵩張らない部位で、単純明快に一般市民に理解され納得・普及させることにより、既存並びに新築建物の新たな耐震性能を構築して、建築産業の安全・信頼が高まり活性化に役立てる。
【背景技術】
【０００２】従来の木造補強工法は、伝統的な仕口を活かせつつ、無数の釘・ボルト・金物によるのが主流であり、その補強性能が建物主に解りにくく、建物の形・柱梁土台などの材質・施工の条件で耐震性能に大きなバラツキが生じる性格があり、既存建物の補強には室内空間の美感と愛着が破壊され、望まない構造以外の修復に多くの費用が生じ、工事中の生活にも支障が生じ、その後の間取り替えにも様々な制約が多く起きている。
【発明が解決しようとする課題】
【０００３】外装・内装の特徴や美感愛着を破壊せず、補強以外に多くの費用が伴わず、施工後の改修間取り替えに制限が少なく、日常生活に支障が少なく、建物全体の耐震性能の向上が明確でバラツキが少なく、その後の改修にも耐震装置が削減されず、建築主が解り易く、安心で、耐震補強に理解が広まり、積極性が生まれる耐震補強工法にする事である。
【課題を解決するための手段】
【０００４】補強箇所を主要な通し柱周辺の梁接合部を、科学的機能を使い柔軟な剛性を高めるに接合部に強化し、木造本来の構造特性を活かせながら融合させ、建物全体の耐震性が総合的に機能する構法により、建物の内外仕上げの損傷を少なくできる部位である、天井裏・小屋裏・２階床の一部から工事が可能な様に、梁の上面・側面・下面（上・側面から施工できる）範囲の施工法を採用し、補強工事以外の費用を抑制し、補強箇所間を連結して部材と仕口の破断と構造の分解を防ぎ、耐震システム説明書を補強部位に表示することを一連にした点にある。また、当該耐震装置を効果的に作用させるために、新築に装着する部位の柱には１２ｃｍ角の桧材を使い伝統的な仕口の柱の欠き込み部を少なく改良し、梁成も大きめに決め、その通し柱間はベタ基礎で強固に固め桧材の土台で連結させ、柱・梁の上部構造の補強が活きる構造にしておくと震災後の修復にも効果が出せる。
【作用】
【０００５】補強工法が大型ビルに採用される技術の応用で解りやすく、補強箇所が少なく大きめで耐震機能が目に見えることで、建築主に補強部材の作用と効果がイメージでき、生活を続けながら、内装の破壊も少なく、耐震補強ができる。
【効果】
【０００６】生活を続けながら、安い費用で、安全と安心が得られ、人身・財産の保全が達成でき、耐震補強が普及する効果がある。
【図面の簡単な説明】
【０００７】
【図１】木造建築の主要な通し柱と梁の補強箇所を示す平面・断面図
【図２】梁の上・下面に取り付ける板状補強部材
【図３】梁の側面に取付け梁を挟んで応力を伝える補強部材
【図４】小型化した部材で柱を貫通して梁を締め付ける補強構成
【図５】図２と図３を結合させた一体型の補強部材
【図６】梁と柱の接合変形角を抑制させる弓状の棒・パイプ補強部材
【図７】通し柱に使用するＵ型の梁受と梁天端金物
【図８】通し柱に使用する筒型（１枚プレート）金物
【図９】バンド型（上・下分離型）金物
【図１０】通し柱  筒型（上下プレート）金物
【図１１】バンド型（上・下分離Ｔ型）金物
【図１２】基礎・土台・柱脚一体化締結金物